(57)【要約】      （修正有）【課題】頭部および顔面に密着しやすく、かつ、着用者が快適に着用することができる目出し帽を提供する。【解決手段】頭部および顔面部全体を覆い、目に対応する箇所には開口が形成されてなる目出し帽であり、該目出し帽が、少なくとも横方向に伸縮性を有する伸縮性ネットと、セルロース系繊維により構成される短繊維ウェブとが交絡一体化されてなる不織布であり、該不織布表面にシボが形成され、少なくとも横方向に伸縮性を有する不織布により構成されている。セルロース系繊維は、木綿繊維のみによって構成されていることが好ましい。【選択図】図１
0003175962.tif 000002
【実用新案登録請求の範囲】
【請求項１】
頭部および顔面部全体を覆い、目に対応する箇所には開口が形成されてなる目出し帽であり、該目出し帽が、少なくとも横方向に伸縮性を有する不織布により構成され、該不織布が、少なくとも横方向に伸縮性を有する伸縮性ネットと、セルロース系繊維により構成される短繊維ウェブとが交絡一体化されてなり、不織布表面にシボが形成されてなることを特徴とする目出し帽。
【請求項２】
伸縮性ネットが、伸縮性の横モノフィラメントと非伸縮性の縦モノフィラメントとが格子状に配列したものであることを特徴とする請求項１記載の目出し帽。
【請求項３】
伸縮性ネットが、伸縮性の横モノフィラメントと伸縮性の縦モノフィラメントとが格子状に配列したものであることを特徴とする請求項１記載の目出し帽。
【請求項４】
伸縮性ネットに長繊維ウェブが貼合されており、該長繊維ウェブは、延伸熱可塑性長繊維によって構成され、該繊維の軸方向が縦方向となるように実質的に配列していることを特徴とする請求項２または３記載の目出し帽。
【請求項５】
横モノフィラメントと縦モノフィラメントとが格子状に配列してなる伸縮性ネットの目の大きさが３〜７ｍｍ×３〜７ｍｍであることを特徴とする請求項２〜４のいずれか１項記載の目出し帽。
【請求項６】
横モノフィラメントおよび縦モノフィラメントの径が、０．１〜２ｍｍであることを特徴とする請求項２〜５のいずれか１項記載の目出し帽。  
【請求項７】
短繊維ウェブが、木綿繊維のみによって構成されていることを特徴とする請求項１〜６のいずれか１項記載の目出し帽。
【考案の詳細な説明】
【技術分野】
【０００１】
本考案は、頭部全体および顔面を覆い、目に対応する箇所に開口を有する目出し帽に関するものである。
【背景技術】
【０００２】
目出し帽は、頭部全体および顔面を覆う帽子であって、目に対応する箇所には開口があり視界を確保してなるものである。防寒具としてや、危険に晒される場所で頭部や顔面を外部から保護するための保護材として用いられている。このような目出し帽は、頭部および顔面における立体形状に沿うための密着性を要することから、糸等によって編まれた伸縮性を有する編物によって形成されている。
【０００３】
また、食品、薬品、電子部品等の製造現場や医療現場等において、頭髪や体毛等の落下や口や鼻からの体液落下を防ぐために、不織布によって構成され、頭部および顔面を覆ってなる衛生帽が提案されている（特許文献１）。
【０００４】
特許文献１によれば、不織布は伸縮性及び通気性を有するものであるが、具体的に記載されているのはポリプロピレン製の不織布である。不織布は、いわゆる布であることから、有る程度の伸びと通気性は有するが、頭部の略球状や顔面の凹凸形状にぴったり密着するほどの伸縮性はない。また、ポリプロピレン製の不織布は吸水および吸湿性に乏しいことから、このようなポリプロピレン製の不織布によって覆われた場合、呼吸がしにくいという問題がある。
【先行技術文献】
【特許文献】
【０００５】
【特許文献１】登録実用新案公報３０７７８３０号公報
【考案の概要】
【考案が解決しようとする課題】
【０００６】
本考案の課題は、頭部および顔面に密着しやすく、かつ、着用者が快適に着用することができる目出し帽を提供することにある。
【課題を解決するための手段】
【０００７】
本考案は、上記課題を解決するものであって、頭部および顔面部全体を覆い、目に対応する箇所には開口が形成されてなる目出し帽であり、該目出し帽が、少なくとも横方向に伸縮性を有する不織布により構成され、該不織布が、少なくとも横方向に伸縮性を有する伸縮性ネットと、セルロース系繊維により構成される短繊維ウェブとが交絡一体化されてなり、不織布表面にシボが形成されてなることを特徴とする目出し帽を要旨とするものである。
【０００８】
以下、本考案について、詳細に説明する。
【０００９】
本考案の目出し帽は、少なくとも横方向に伸縮性を有する不織布により構成される。そして、該不織布は、少なくとも横方向に伸縮性を有する伸縮性ネットと、セルロース系繊維により構成される短繊維ウェブとが交絡一体化されてなるものであり、該不織布表面にシボを有する。
【００１０】
目出し帽を構成する不織布は、少なくとも横方向（すなわち、幅方向）に伸縮性を有する伸縮性ネットを構成素材としているため、目出し帽は、少なくとも幅方向に伸縮性を有し、人の頭部の半球形状や顔面の凹凸に密着しやすく、良好に頭部および顔面を覆うことができる。
【００１１】
少なくとも横方向に伸縮性を有する伸縮性ネットとしては、従来公知のものを用いることができ、たとえば、押出成形で製造された包装用伸縮ネットや、伸縮糸を粗めに製編織した伸縮性ネットを用いることができる。本考案においては、横方向に伸縮性のあるモノフィラメントを、縦方向に伸縮性のない非伸縮性のモノフィラメントを、それぞれ格子状になるように配列させて交点で接着したものを好ましく用いる。なお、横方向に配列させたモノフィラメントのことを「横モノフィラメント」といい、縦方向に配列させたモノフィラメントのことを「縦モノフィラメント」ともいう。また、横モノフィラメントおよび縦モノフィラメントともに、伸縮性を有するモノフィラメントを格子状に配列させて交点で接着したものも用いることができる。この場合、縦方向には伸長せず横方向には伸長する一方向性長繊維ウェブを伸縮性ネットに貼合すれば、縦方向の形態安定性が向上し、横方向のみ伸縮性を発揮するものとなる。これは、一方向性長繊維ウェブによって、縦方向に伸縮性ネットが伸長しにくくなるからである。一方向性長繊維ウェブとしては、たとえば、ＪＸ日鉱日石ＡＮＣＩ社製のミライフ（登録商標）Ｔグレードなる商品名で市販されているものを用いることができる。
【００１２】
縦モノフィラメントと横モノフィラメントとを格子状に配列した伸縮性ネットの目の大きさは、３〜７ｍｍ×３〜７ｍｍ程度がよい。格子の目を通して、短繊維ウェブの構成繊維を伸縮性ネットに良好に交絡させることができるためである。また、頭部や顔面に対して、ソフトに密着させることができる。
【００１３】
縦モノフィラメントと横モノフィラメントとを格子状に配列した伸縮性ネットの交点は、接着剤による接着等の任意の手段で行われる。伸縮性を有する横モノフィラメントとして、スチレン系エラストマー等の熱可塑性弾性樹脂を素材としたものを用いた場合には、この熱可塑性を利用して、交点を熱融着するとよい。モノフィラメントの径は、０．１〜２ｍｍ程度である。モノフィラメントの径が０．１ｍｍ未満であると、モノフィラメントが切断しやすくなる。また、モノフィラメントの径が２ｍｍを超えると、剛性が高くなり、不織布の柔らかさやドレープ性が低下する傾向となる。本考案において好適に用いられる伸縮性ネットは、コンウェッドネット社製の「リバウンドネット」（商品名）である。
【００１４】
本考案に用いられる不織布は、上記した伸縮性ネットの片面または両面に短繊維ウェブが積層され、短繊維ウェブの構成繊維が伸縮性ネットに交絡一体化してなるものである。短繊維ウェブは、セルロース系繊維により構成されることを必須要件としており、なかでも木綿繊維のみから構成されることがより好ましい。セルロース系繊維は、吸水性および吸湿性に優れることから、頭部や顔面を密着して覆った場合であっても、肌触りが良好であり、かつ汗や唾液等の体液や呼気を良好に吸収する。短繊維ウェブの目付は任意であるが、４０〜６０ｇ／ｍ2程度であるのが好ましい。なお、短繊維ウェブの目付は、それが伸縮性ネットの両面に積層されたときは、両面での合計重量である。また、交絡一体化の具体的な手段は、高圧液体流を作用させて構成繊維同士が三次元的に絡んでなるものが、肌触りが良く、柔軟性に優れるため好ましい。
【００１５】
本考案に用いられる不織布は、不織布表面にシボが形成されている。すなわち、不織布表面に凹凸が形成されている。シボが形成されていることにより、肌当たりが良好で、良好な風合いを有する。本考案において、このようなシボが形成してなる不織布としては、本件出願人が提案している特願２０１０−２０３８２１号に記載された技術である「しぼ調積層不織布の製造方法」によって得られるシボ調積層不織布を最も好適に用いることができる。このシボ調積層不織布の製造方法によれば、伸縮性ネットと短繊維ウェブを交絡一体化した後、幅方向に拡幅することにより、短繊維同士の交絡を一部解除するとともに短繊維と伸縮性ネットの交絡も一部解除し、且つ短繊維ウェブの幅を元の長さより長くさせ、その後、拡幅により負荷した外力を取り除くことにより、元の長さより長くなった短繊維ウェブがたるみとなって発生し、これによりシボを現出させている。
【００１６】
本考案の目出し帽は、上記したように少なくとも横方向に伸縮性を有し、表面にシボを有する不織布によって構成されるが、目出し帽の形状にするには、不織布を適宜の形状に裁断または打抜きを行い、適宜縫製することにより得ることができる。そして、目に対応する箇所は、開口を形成させる。なお、本考案においては、不織布を構成する短繊維同士あるいは短繊維と伸縮性ネットとは、交絡により一体化しているため、裁断箇所について特段の端部処理を施さなくとも、繊維が脱落したりホツレが生じたりすることはないが、かがり縫い等により端部を縫製してもよいことはいうまでもない。  
【００１７】
図１は、本考案の目出し帽を横からみたときの一例を示す概略平面図である。図１における目出し帽（１）は、横方向に伸縮性を有し、表面にシボを有する上記した不織布によって構成されており、目に対応する箇所は開口部（２）が設けられている。図１の一例では、正面から見た際に（図示せず）、楕円状の開口が一つ付与してなるものを例示しているが、両目それぞれに対応して、円状の開口を二つ付与してなるものであってもよい。なお、目出し帽の縦方向の長さは適宜設定すればよく、図１では、顔面部は長く、頭部にいくに従って曲線状に繰り上がらせて首の下部は覆わないような形状としているが、首の下部まで覆うものであってもよい。また、用途によっては、口に対応する箇所にも開口を形成させてもよい。
【考案の効果】
【００１８】
本考案の目出し帽は、上記したシボを有する不織布によって構成されているので、良好な肌触りと風合いを有し、且つ少なくとも幅方向（横方向）に伸縮性を有しているため、頭部や顔面の凹凸にソフトにフィットすることができ、非常に着用感に優れる。また、不織布を構成する素材がセルロール系繊維であるため、吸水および吸湿性に優れるため、着用者が快適に過ごすことができる。
【００１９】
したがって、本考案の目出し帽は、防寒の目的、汗等の体液を吸収させる目的、さらには、体毛や体液の脱落を防ぐため等の様々な目的に応じて様々な分野で使用することができるものである。よって、寒い場所での着用や、食品・薬品・電子部品等の製造現場や医療現場等にて作業する作業者の着用、また、体液を良好に吸収することから、暑い場所での作業やフルフェイスヘルメットを着用する際の内側に着用して汗等の体液を良好に吸収させる目的で使用することも好適である。
【図面の簡単な説明】
【００２０】
【図１】本考案に係る目出し帽を横からみたときの一例を示す概略平面図である。
【符号の説明】
【００２１】
１：目出し帽
２：開口部
【図１】
0003175962.tif 000003